(57)【要約】【課題】  水分を含む水洗い可能な畳にカビ等の腐食及び腐食による悪臭の発生を長期にわたり抑制することができる水洗い可能な畳を提供する。【解決手段】  畳の芯材を被覆するポリプロピレン製畳表及び／又はビニルシートの少なくとも一面に銀ナノ粒子を含む皮膜を担持させた水洗い可能な畳とした。【選択図】図３
2015048704.tif 000002
【特許請求の範囲】
【請求項１】
畳の芯材を被覆又は積層する樹脂製畳表及び／又はビニルシートの少なくとも一面に銀ナノ粒子を含む皮膜を担持させた水洗い可能な畳。
【請求項２】
前記銀ナノ粒子を含む皮膜の成分が、判定量値において炭素（Ｃ）が４０〜４７ｗｔ％、酸素（Ｏ）が３６〜４５ｗｔ％、銀（Ａｇ）が０．０１〜１０ｗｔ％、アルミニウム（Ａｌ）が３〜８ｗｔ％、ケイ素（Ｓｉ）が０．５〜３ｗｔ％、塩素（Ｃｌ）が２〜６ｗｔ％、亜鉛（Ｚｎ）が０．５〜６ｗｔ％含む請求項１記載の水洗い可能な畳。
【発明の詳細な説明】
【発明の詳細な説明】
【技術分野】
【０００１】  本発明は、介護施設や浴室等に敷設する水洗い可能な畳に関するものであり、水分を含む畳にカビ等の腐食を防止及び腐食による悪臭の発生を長期にわたり抑制することができる水洗い可能な畳に関するものである。
【背景技術】
【０００２】  例えば、本出願人が先に提出した特許文献１には、「プラスティック段ボールから成る中空状合成樹脂プレートを挟んで２枚の発泡ポリスチレン製芯材を設け、表面側の発泡ポリスチレン製芯材の上面に他のプラスティック段ボールから成る中空状合成樹脂プレートを挟んで合成樹脂製畳表を積層すると共に、該合成樹脂製畳表を前記上方のプラスティック段ボールから成る中空状合成樹脂プレート上面に接着しないで発泡ポリスチレン製芯材の側面で縫合わせた水洗い可能な畳」が記載されている。【０００３】  この発明においては、「足の裏によって畳表面に一方向から力が加わると表面側の表面平滑な中空状合成樹脂プレートが表面側の発泡ポリスチレン製芯材上面を滑り、そのプレート端部が畳表の一側面を一方向に押圧する。これにより、畳の表側において上記一方向へ引張力が働く。一方、足の裏によって畳表面に一方向から力が加わると裏面側の発泡ポリスチレン製芯材は畳上面に加わる足の圧力によって畳下面側へ押し付けられながら裏面側の表面平滑な中空状合成樹脂プレート下面を滑り、発泡ポリスチレン製芯材端部が畳表の他の側面を他方向に押圧する。これにより、畳の裏側において上記と逆の方向へ引張力が働く。このように、少なくとも表側の中空状合成樹脂プレートと裏側の発泡ポリスチレン製芯材が共に逆方向に滑り合って畳表両側面を足の踏み出し方向及びその逆方向に押圧するため、畳表に引張力が得られ畳表のしわの発生を確実に防止することができる」旨説明している。【０００４】  しかしながら、この発明においては、水分を含む水洗い可能な畳における常時水が直接接触するポリプロピレン製の畳表の面にカビ等の腐食及び腐食による悪臭の発生を長期に亘り抑制することがでいない。【０００５】  また、特許文献２には、「畳床の少なくとも上面と側面の一部を被覆する防水シート（ビニルシート）を設け、この防水シート上面に畳表をそれらの間に通水間隙を形成するように縫着し、畳表と畳床との縫着部分の排水口及び／又は畳表と畳床との開放部分の下部排水口を設けた水洗い可能な畳」が記載されている。【０００６】  そして、この発明においては「使用中に畳床内部に水が浸透しにくく、また使用後畳を干す場合には畳床内部に残留する水の排水性に優れた水洗い可能な畳を提供する」旨説明している。【０００７】  しかしながら、水分を含む水洗い可能な畳の常時水が直接接触する防水シート（ビニルシート）の面にカビ等の腐食及び腐食による悪臭の発生を長期にわたり抑制することができない。
【先行技術文献】
【０００８】
【特許文献１】特許第４０２２６６０号
【特許文献２】特許第４９９７６５７号
【発明が解決しようとする課題】
【０００９】  本発明は、水分を含む水洗い可能な畳の常時水が直接接触する樹脂製畳表及び／又はビニルシートの面にカビ等の腐食及び腐食による悪臭の発生を長期にわたり抑制し、前記銀ナノ粒子を含む皮膜において、少なくとも銀ナノ粒子を表面に露出させた状態で樹脂製畳表及び／又はビニルシートの面に長期にわたり剥離することなく強固に接着するようにした。
【課題を解決する手段】
【００１０】  請求項１の発明は、畳の芯材を被覆又は積層して常時水が直接接触する樹脂製畳表及び／又はビニルシートの少なくとも一面に銀ナノ粒子を含む皮膜を担持させた水洗い可能な畳を提供するものである。
【００１１】  この発明においては、水分を含む水洗い可能な畳にカビ等の腐食及び腐食による悪臭の発生を長期にわたり抑制することができる水洗い可能な畳を提供することが出来る。
【００１２】  また、請求項２の発明は、前記銀ナノ粒子を含む皮膜の成分が、判定量において炭素（Ｃ）が４０〜４７ｗｔ％、酸素（Ｏ）が３６〜４５ｗｔ％、銀（Ａｇ）が０．０１〜１０ｗｔ％、アルミニウム（Ａｌ）が３〜８ｗｔ％、ケイ素（Ｓｉ）が０．５〜３ｗｔ％、塩素（Ｃｌ）が２〜６ｗｔ％、亜鉛（Ｚｎ）が０．５〜６ｗｔ％含む請求項１記載の水洗い可能な畳を提供するものである。
【００１３】  この発明においては、前記銀ナノ粒子を含む皮膜において、少なくとも銀ナノ粒子を皮膜表面に外気に露出させた状態で樹脂製の畳表及び／又はビニルシートの面に長期にわたり強固に接着させることができる。
【発明を実施するための形態】
【００１４】  以下に本発明の一実施形態を図面に基づき説明する。図１は本発明の一実施例を示す水洗い可能な畳Ａの縦断面図であり、プラスティック段ボールから成る中空状合成樹脂プレート３ａ、３ｂを挟んで２枚の発泡ポリスチレン製芯材２ａ、２ｂを設け、表面側の発泡ポリスチレン製芯材２ａの上面に他のプラスティック段ボールから成る中空状合成樹脂プレートを挟んで合成樹脂製畳表１（ポリエチレン製）を積層すると共に、前記中空状合成樹脂プレート３ａ上面と発泡ポリスチレン製芯材２ｂ下面に発泡ポリプロピレンシート４ａ、４ｂを積層し、さらに上方の発泡ポリプロピレンシート４ａと畳表１との間に畳表保護用のポリエステルシート５を介在させて、該合成樹脂製畳表１を前記上方のプラスティック段ボールから成る中空状合成樹脂プレートと共に縫糸７により接着しないで発泡ポリスチレン製芯材の側面で縫合わせた水洗い可能な畳である。そして、前記畳表１及び／又はポリエステルシート５の上面及び／又は下面に銀ナノ粒子を含む皮膜を担持させている。
【００１５】  また、図２には本発明の他の実施形態を示す水洗い可能な畳Ｂの縦断面図であり、前記合成樹脂プレート（プラスティック段ボール）、芯材（発泡ポリスチレン製芯材）及び合成樹脂発泡シートを予め一体的に縫着した畳床Ｘ１の少なくとも上面、側面、底面の一部を被覆するように防水シートＹ１（ビニールシート）を設け、この防水シートＹ１上面に合成樹脂製畳表１０（ポリエチレン製）をそれらの間に通水間隙を形成するように縫着１７し、畳表１０と畳床Ｘ１との縫着部分を排水口Ｓ１０としている。排水口Ｓ１０は約１〜３ｍｍ程度の縫着糸の針孔であり、縫着１７をこれら針孔に通して畳側面でしっかりと締め付けて縫着する。  そして、前記畳表１及び／又は防水シートＹ１の上面及び／又は下面に銀等金属ナノ粒子ＮＭを含む皮膜Ｆを担持させている。
【００１６】  本発明における水洗い可能な畳においては、基材である畳表１、１０、ポリエステルシート５、防水シートＹ１（ビニールシート）が薄くかつ表面平滑な樹脂製であるため、畳製作時の取扱いで捻じれたり、使用時人の歩行による足の踏む圧力により撓みや相互摩擦等の外力が激しく、銀等のナノ金属粒子が皮膜面から剥がれ落ちたり、皮膜自体が基材面から剥離し易くなる。そのため、銀等のナノ金属粒子とバインダー成分の組成比率が重要となる・
【００１７】  本発明のナノ粒子を含む皮膜は、多種の銀ナノ粒子含有溶液を実験した結果、下記測定結果の組成比率のものが良好であった。即ち、本発明に良好な銀ナノ粒子含有溶液を試験用紙にスプレーし、測定具に付着させて走査型電子顕微鏡（ＴＭ３０００／株式会社日立ハイテクノロジーズ製）にて測定した結果、下記の成分が定量された。
【００１８】
【表１】
2015048704.tif 000003
【００１９】  上記は判定量結果であり、炭素（Ｃ）、酸素（Ｏ）、塩素（Ｃｌ）は本実施例で使用する銀ナノ粒子含有溶液のバインダー成分と考えられる。図３に示す如く、このバインダー成分は上記の割合により、銀等のナノ金属粒子を皮膜表面に露出させて外気との接触面積を大きくして殺菌・消臭作用を増強すると共に、ナノ金属粒子を基材Ｓ（上記畳表１、ポリエステルシート５、防水シート）表面に強固に接着させることができる。
【００２０】  上記の結果から本発明においては、上記銀ナノ粒子を含む皮膜の成分は、判定量において炭素（Ｃ）が４０〜４７ｗｔ％、酸素（Ｏ）が３６〜４５ｗｔ％、銀（Ａｇ）が０．０１〜１０ｗｔ％、アルミニウム（Ａｌ）が３〜８ｗｔ％、ケイ素（Ｓｉ）が０．５〜３ｗｔ％、塩素（Ｃｌ）が２〜６ｗｔ％、亜鉛（Ｚｎ）が０．５〜６ｗｔ％の範囲が良好と考えられる。
【００２１】  上記銀（Ａｇ）は殺菌、消臭等の作用を有し、アルミニウム（Ａｌ）は金属同士の結合を図り殺菌・消臭作用を増強し、ケイ素（Ｓｉ）はバインダーの粘度を低く調整して薄膜にでき、亜鉛（Ｚｎ）は上記基材Ｓ及び上記銀等のナノ金属粒子同士の吸着力を高めるものと考えられる。
【発明の効果】
【００２２】  上記の如く本発明においては、水分を含む水洗い可能な畳の常時水が直接接触するポリプロピレン製の畳表及び／又はビニルシートの面のカビ等の腐食及び腐食による悪臭の発生を長期にわたり抑制することができる水洗い可能な畳を提供することが出来る。
【００２３】  また、この発明においては、前記銀ナノ粒子を含む皮膜において、少なくとも銀ナノ粒子を表面に露出させた状態でポリプロピレン製の畳表及び／又はビニルシートの面に長期にわたり強固に接着することができる。
【図面の簡単な説明】
【００２４】
【図１】本発明の一実施例を示す畳の縦断面図
【図２】本発明の他の実施例を示す畳の縦断面図
【図３】腰部拡大断面説明図
【符号の説明】      １、１０      畳表
５            ポリエステルシート
Ｙ１          防水シート（ビニールシート）
【図１】
2015048704.tif 000004
【図２】
2015048704.tif 000005
【図３】
2015048704.tif 000006